(57)【要約】【課題】ピロー包装から取り出した後に被包装物を一括管理できる、包装体用台紙を提供する。【解決手段】折線５ａ〜５ｈまたは切線６ａ〜６ｄにより画成される少なくとも５つの面１ａ〜１ｅを備え、折線を折り、５つの面を底面１ａとこの底面に垂直な前面１ｄ，後面１ｅ及び両側面１ｂ，１ｃとする箱状に組み立てることで、複数の被包装物を整列して載置可能な包装体用台紙１を構成する。包装体用台紙１は、展開状態で被包装物の最も広い面の形状に合うよう、各辺が被包装物の最も広い面の各辺の倍数である矩形を成し、組み立てられた状態における底面１ａの形状が被包装物の最も狭い面の形状に合うよう、底面の各辺が載置された被包装物の最も狭い面の各辺の倍数である矩形を成す。【選択図】  図４
2009173303.tif 000002
【特許請求の範囲】
【請求項１】
直方体形状の複数の被包装物を載置した状態で包装される包装体用台紙であって、折線または切線により画成される少なくとも５つの面を備え、上記折線を折り、上記５つの面を底面とこの底面に垂直な前面，後面及び両側面とする箱状に組み立てることで、複数の被包装物を整列して載置可能であることを特徴とする、包装体用台紙。
【請求項２】
展開状態において、載置される複数の被包装物の最も広い面の形状に合うよう、各辺の長さが被包装物の最も広い面の各辺の長さの倍数である矩形を成すことを特徴とする、請求項１に記載の包装体用台紙。
【請求項３】
組み立てられた状態における前記底面の形状が、載置される複数の被包装物の最も狭い面の形状に合うよう、前記底面の各辺の長さが被包装物の最も狭い面の各辺の長さの倍数である矩形を成すことを特徴とする、請求項１または２に記載の包装体用台紙。
【請求項４】
展開状態において載置することのできる被包装物の数と、組み立てられた状態において載置することのできる被包装物の数とが同一であることを特徴とする、請求項１から３のいずれかに記載の包装体用台紙。
【請求項５】
複数の被包装物を載置し包装された状態において被包装物の側面を覆う側縁部を備え、
上記側縁部が、前記前面，前記後面及びこれらの両側に連設され互いに組み合わさることにより前記両側面の移動を規制する腕部となることを特徴とする、請求項１から４のいずれかに記載の包装体用台紙。
【請求項６】
前記底面に、折線とコ字状の切線とで画成されたフラップが設けられていることを特徴とする、請求項１から５のいずれかに記載の包装体用台紙。
【請求項７】
組み立てられた状態における左側面及び右側面の高さが、被包装物の高さより高いことを特徴とする、請求項１から６のいずれかに記載の包装体用台紙。
【請求項８】
前記両側面に把手を備えたことを特徴とする、請求項１から７のいずれかに記載の包装体用台紙。
【請求項９】
前記両側面は、その外縁付近に、半折線により画成された切片と、両端が上記半折線と連設したコ字状の切線を有することを特徴とする、請求項１から８のいずれかに記載の包装体用台紙。
【発明の詳細な説明】
【技術分野】
【０００１】
本発明は、食品等の包装の際に使用される包装体用台紙に関する。
【背景技術】
【０００２】
従来、チーズなどの食品を個別包装し、これをさらに複数個並べてピロー包装やシュリンク包装の一括包装を施す際には、複数の個別包装された食品が包装内で移動し型崩れしてしまうことを防止するため、台紙に複数の個別包装された食品を並べた状態でピロー包装やシュリンク包装がなされ、この状態で販売されている。
【０００３】
このような従来の包装が施された食品の例を図１５に示す。包装体１００は、複数の食品等の被包装物２が包装体用台紙１０１上に整列載置された状態で、透明なシートフィルム４によりピロー包装を施されてなる。包装体用台紙１０１は、被包装物２を載置する表面と逆の裏面に被包装物２の賞味期限等が印字されており、シートフィルム４を透過してこれを視認することができる。
【０００４】
商品の購入者は、包装体１００のシートフィルム４の両端に設けられた切込１４ａを切り開いて被包装物２を取り出す。その後、台紙１０１及びシートフィルム４は不要であるから、通常は捨てられる。なお、包装用箱を購入者が一部変形して陳列ケースとする発明が特許文献１に開示されている。
【特許文献１】特開２００５−３３５７８９号公報
【発明の開示】
【発明が解決しようとする課題】
【０００５】
上述のような被包装物２では、被包装物２を一つでも取り出せば台紙１０１は不要となる。すなわち、台紙１０１には、ピロー包装がなされている状態において被包装物２を整列載置する機能しか有していない。また、台紙１０１は箱状のものではないから、特許文献１の発明を適用することもできない。
【０００６】
そのため、食品である被包装物２のうち一つを取り出して消費し、残りの被包装物２を冷蔵庫に保存するような場合、残りの被包装物２は既にピロー包装による一括包装がなされていないことから、被包装物２が冷蔵庫内に散在してしまい見栄えがよくない。また個々の被包装物２に賞味期限が印字されていない場合には賞味期限が不明となってしまったり、賞味期限の異なる被包装物２が混在してしまうなど、管理上も好ましくないという問題があった。
【０００７】
本発明は、上記問題に鑑みてなされたものであり、ピロー包装から取り出した後に被包装物を一括管理できる包装体用台紙を提供することを目的とする。
【課題を解決するための手段】
【０００８】
上記目的を達成するため、本発明の包装体用台紙は、折線または切線により画成される少なくとも５つの面を備え、折線を折り、上記５つの面を底面とこの底面に垂直な前面，後面及び両側面とする箱状に組み立てることで、複数の被包装物を整列して載置可能であることを特徴とする。
【０００９】
包装体用台紙は、包装された状態で被包装物の最も広い面の形状に合うよう、各辺が被包装物の最も広い面の各辺の倍数である矩形を成してもよい。
【００１０】
また、組み立てられた状態における底面の形状が被包装物の最も狭い面の形状に合うよう、底面の各辺が載置された被包装物の最も狭い面の各辺の倍数である矩形を成すことが望ましい。
【００１１】
包装された状態において載置することのできる被包装物の数と、組み立てられた状態において載置することのできる被包装物の数とが同一であってもよい。
【００１２】
複数の被包装物を載置し包装された状態において被包装物の側面を覆う側縁部を備え、側縁部が、前面，後面及びこれらの両側に連設され互いに組み合わさることにより両側面の移動を規制する腕部となることが望ましい。
【００１３】
底面に、折線とコ字状の切線とにより画成されたフラップが設けられていてもよい。
【００１４】
組み立てられ、被包装物を載置した状態における左側面及び右側面の高さが被包装物の高さより高くてもよい。
【００１５】
両側面に把手を備えてもよい。
【００１６】
両側面の外縁付近に、半折線により画成された切片と両端が半折線と連設したコ字状の切線とを有してもよい。
【発明の効果】
【００１７】
本発明の包装体用台紙によれば、上記折線を折り、上記５つの面を底面とこの底面に垂直な前面，後面及び両側面とする箱状に組み立てることで、複数の被包装物を整列して載置可能であるから、ピロー包装から取り出した後に被包装物を載置して一括管理できる。
【００１８】
展開状態において各辺が被包装物の最も広い面の各辺の長さの倍数である矩形を成す場合には、被包装物をその最も広い面を底面として水平方向に並べて載置した際に最も過不足なく面を活用できる。
【００１９】
組み立てられた際の底面の各辺が被包装物の最も狭い面の各辺の長さの倍数である矩形を成す場合には、被包装物をその最も狭い面を底面として水平方向に並べて載置した際に最も過不足なく面を活用できる。特に、展開状態において各辺が被包装物の最も広い面の各辺の長さの倍数である矩形を成す場合には、展開状態の面積に対する組み立てられた状態の底面積の割合が最も小さく、前面，後面及び両側面の面積を最も大きくすることができる。
【００２０】
包装された状態において載置することのできる被包装物の数と、組み立てられた状態において載置することのできる被包装物の数とが同一であれば、被包装物を消費しなくても被包装物を一括管理できる。
【００２１】
前面及び後面がそれぞれ両側に連設された腕部を有し、上記腕部同士を組み合わせることで両側面の移動を規制する場合には、一枚の包装体用台紙内に必要な部材を納めることができる。
【００２２】
複数の被包装物を載置し包装された状態において被包装物の側面を覆う側縁部を備え、この側縁部が前面，後面及び腕部となる場合、使用者が包装体用台紙を組み立てる際に折線を折る手間を省略することができる。
【００２３】
底面に、折線とコ字状の切線とにより画成されたフラップが設けられていれば、フラップを立てれば、被包装物がこれに寄り掛かることができるから、被包装物の個数が減った場合にも被包装物が倒れることがない。
【００２４】
組み立てられ、被包装物を載置した状態における左側面及び右側面の高さが、被包装物の高さより高い場合には、被包装物が組み立てられた包装体用台紙の外側に倒れるのを防ぐことができる。
【００２５】
両側面に把手を備える場合には、取り扱いに便利である。
【００２６】
両側面の外縁付近に、折線により画成された切片を有する場合には、これを内側に折り曲げることで被包装物の可動範囲が狭まり、被包装物が倒れるのを防ぐことができる。
【００２７】
両側面に、両端が半折線と連設したコ字状の切線を有する場合には、半折線を折り曲げると、コ字状の切線により小片及び穴が画成され、この穴が楊枝立てとして機能する。
【発明を実施するための最良の形態】
【００２８】
以下、本発明の好ましい実施の形態を、添付図面を参照しながら詳細に説明する。なお、従来の包装体と同一の部分については同一の符号を付し、適宜図示を省略する。
【００２９】
図示の実施形態の包装体用台紙はいずれも、複数の被包装物２を載置した状態でシートフィルム４により包装され、被包装物２の移動を制限する台紙である。ここで、図１に示すように、被包装物２は、三対の面の面積がそれぞれ異なる直方体を成しており、最も広い面を下面として水平方向に並べられ、包装体用台紙上に載置される。そのため、包装体用台紙は、被包装物２を最も広い面を下面として並べた状態でそれらの下面に沿うよう矩形を成す面を有する。この面の一辺は被包装物２の最も広い面の一辺の長さの倍数であり、他辺は被包装物２の他辺の長さの倍数となっている。また、包装体用台紙は、被包装物２を載置する表面と逆の裏面に、被包装物２の賞味期限等が印字されている。
【００３０】
さらに、包装体用台紙は、折線または切線により画成される５つの面を備え、上記折線を折り、上記５つの面を底面とこの底面に垂直な前面，後面及び両側面とする箱状に組み立てることで、複数の被包装物２を整列して載置可能となる。ここで、包装体用台紙を箱状に組み立てた際は、被包装物２が、最も狭い面または二番目に狭い面を下面として水平方向に並べられ、包装体用台紙の底面上に載置される。そのため、包装体用台紙の底面は、被包装物２を最も狭い面または二番目に狭い面を下面として並べた状態でそれらの下面に沿うよう矩形を成し、一辺は被包装物２の最も狭い面または二番目に狭い面の一辺の長さの倍数であり、他辺は被包装物２の他辺の長さの倍数となる。
【００３１】
［第一実施形態］
第一実施形態の包装体用台紙１は図２に示すように４つの被包装物２を一列に載置するものであり、４つの被包装物２の底面形状に合うよう、包装体用台紙１の一辺が被包装物２の一辺の約４倍、他辺が被包装物２の他辺の約１倍の矩形を成している。
【００３２】
また、包装体用台紙１は、図３に展開状態を示すように、底面１ａと、図３において底面１ａの左右に折線５ａ，５ｂを介して連設されている左側面１ｂ及び右側面１ｃと、図１において底面１ａの上下に折線５ｃ、５ｄを介して連設されている前面１ｄ及び後面１ｅと、図３において前面１ｄ及び後面１ｅの左右両側にそれぞれ折線５ｅ，５ｆ及び５ｇ，５ｈを介して連設されている腕部１ｆ，１ｇ及び１ｈ，１ｉを備えている。
【００３３】
底面１ａは、被包装物２を、その最も狭い面を下面として平面視２行×２列に整列載置した際に多少のクリアランスをもって程よく保持するよう、縦横の長さがそれぞれ被包装物２の最も狭い面の縦横の長さの２倍よりも少し長く設定されている。
【００３４】
左側面１ｂ及び右側面１ｃは底面１ａの上下辺をそれぞれ包装体用台紙１の左右端まで延長した線上に設けられた切線により画成され、折線５ａ，５ｂを介して底面１ａと連設されている。同様に、前面１ｄ及び後面１ｅは底面１ａの左右辺をそれぞれ包装体用台紙１の上下端まで延長した線上に設けられた切線により画成され、折線５ｃ、５ｄを介して底面１ａと連設されている。
【００３５】
腕部１ｆ，１ｇ及び１ｈ，１ｉは、その先端付近に、係合切込８ｆ，８ｇ及び８ｈ，８ｉを備えている。また、左側面１ｂ及び右側面１ｃと腕部１ｆ，１ｇ及び１ｈ，１ｉとの間は切線６ａ，６ｂ及び６ｃ，６ｄにより区切られており、各切線は、それにより画成される面を繋ぐニック７ａ，７ｂ及び７ｃ，７ｄにより断続した線となっている。このニックがあることにより、各面が互いの独立した動きを制御し、機械によりフィーディング等を行う場合の詰まりを防ぐことができる。また、ニックは手で簡単に破断することができ、破断後は各面を独立して動かすことができる。
【００３６】
係合切込８ｆ，８ｈは腕部１ｆ，１ｈの中央付近から図３において下方向、係合切込８ｇ，８ｉは腕部１ｇ，１ｉの中央付近から上方向に設けられ、切線または包装体用台紙１の縁に近づくにつれてそれぞれの腕部の先端方向へずれるように屈折している。このように構成することで、後述するように腕部同士の係合が容易となる。
【００３７】
続いて、包装体用台紙１の使用方法について説明する。包装体用台紙１は、食品等の被包装物２を複数載置した状態でシートフィルム４により包装され、被包装物２の移動を制限する。すなわち、図１に示すように、包装体１１１は、複数の被包装物２が包装体用台紙１上に整列載置された状態で、シートフィルム４によりピロー包装を施されてなる。包装体１１１のシートフィルム４の両端に設けられた切込１４ａを切り開くことで、被包装物２を取り出すことができる。以上の点については従来の包装体用台紙１０１と同様である。しかし、被包装物２を取り出した後、包装体用台紙１を組み立てることで被包装物２を載置する箱となり、この点において従来の台紙と異なる。
【００３８】
包装体用台紙１は以下の手順で組み立てることができる。まずニック７ａ〜７ｄを破断する。折線５ａ，５ｂ及び５ｃ、５ｄを谷折りし、左側面１ｂ，右側面１ｃ及び前面１ｄ，後面１ｅを底面１ａに対し垂直になるように立ち上げる。この状態を図４（Ａ）に示す。
【００３９】
続いて、折線５ｅ，５ｆ及び５ｇ、５ｈを谷折りし、腕部１ｆと１ｈが左側面１ｂの外側で重なり、腕部１ｇと１ｉが右側面１ｃの外側で重なるようにする。この状態で係合切込８ｆと８ｈを係合させ、同様に係合切込８ｇと８ｉを係合させる。すると、左側面１ｂ及び右側面１ｃは腕部１ｆ，１ｈ及び腕部１ｇ，１ｉに制限されて外側に倒れることができず、前面１ｄ及び後面１ｅも腕部１ｆ，１ｇ及び腕部１ｈ，１ｉと連設しているために外側に倒れることができない。この状態を図４（Ｂ）に示す。いま、包装体用台紙１は底面１ａと、底面１ａに垂直な左側面１ｂ，右側面１ｃ，前面１ｄ及び後面１ｅとからなる、蓋のない箱状を成している。
【００４０】
このような箱状の包装体用台紙１に被包装物２を載置する。具体的には図５に示すように、被包装物２の最も狭い面を底面とし、平面視２行×２列となるよう整列して載置する。この包装体用台紙１によれば、シートフィルム４の廃棄後にも、被包装物２が散在せず見栄えよく収納できると共に、同一の包装体に由来するものを同一個所に整理できるから、賞味期限などの管理にも有用である。
【００４１】
この実施形態の場合、展開状態において、載置される複数の被包装物２の最も広い面の形状に合うよう、各辺の長さが被包装物２の最も広い面の各辺の長さの倍数である矩形を成し、かつ組み立てられた状態における底面１ａの形状が、載置される複数の被包装物２の最も狭い面の形状に合うよう、底面１ａの各辺の長さが被包装物の最も狭い面の各辺の長さの倍数である矩形を成すので、展開状態の面積に対する組み立てられた状態の底面積の割合が最も小さく、前面１ｄ，後面１ｅ及び両側面１ｂ，１ｃの面積を最も大きくすることができる。
【００４２】
［第二実施形態］
続いて、本発明の第二実施形態の包装体用台紙につき説明する。なお、第一実施形態の包装体用台紙と同様の部分については適宜説明を省略する。
第二実施形態の包装体用台紙１１は第一実施形態の包装体用台紙１と同様、４つの被包装物２を一列に載置するものであるが、図６に示すように、複数の被包装物を載置し包装された状態で被包装物２の側面を覆うように被包装物２の厚み分だけ端部が延設された側縁部１０ａ，１０ｂを備えている。すなわち、４つの被包装物２の底面及び側面形状に合うよう、包装体用台紙１１の一辺が被包装物２の一辺の４倍、他辺が被包装物２の他辺の１倍＋側面の厚みの２倍の矩形を成し、側縁部１０ａ，１０ｂが上方に折り曲げられている。
【００４３】
また、包装体用台紙１１は、図７に展開状態を示すように、底面１１ａと、図７において底面１１ａの左右に折線１５ａ，１５ｂを介して連設されている左側面１１ｂ及び右側面１１ｃと、図７において底面１１ａの上下に折線１５ｃ、１５ｄを介して連設されている前面１１ｄ及び後面１１ｅと、図７において前面１１ｄ及び後面１１ｅの左右にそれぞれ折線１５ｅ，１５ｆ及び１５ｇ，１５ｈを介して連設されている腕部１１ｆ，１１ｇ及び１１ｈ，１１ｉを備えている。ここで、底面１１ａは、被包装物２を、その二番目に狭い面を下面として平面視４行に整列載置した際に多少のクリアランスをもって程よく保持するよう、一辺が被包装物２の一辺の約４倍、他辺が被包装物２の他辺の約１倍の矩形を成している。なお、包装された状態における側縁部１０ａ，１０ｂはそのまま前面１１ｄ，後面１１ｅ及び腕部１１ｆ，１１ｇ，１１ｈ，１１ｉとなる。
【００４４】
底面１１ａの中心には、フラップ１９が設けられている。このフラップ１９は、図７における底面１１ａの左右方向中心線上であって上下方向中央に設けられた折線１９ａと、この折線１９ａの一端と他端とを結ぶ曲線またはコ字状の切線１９ｂにより画成されている。切線１９ｂには適宜の箇所にニック１９ｃが設けられており、これを破断し、折線１９ａを谷折りすることでフラップ１９が被包装物２同士の仕切り板として機能する。
【００４５】
腕部１１ｆ，１１ｇ及び１１ｈ，１１ｉは、その先端付近に、係合切込１８ｆ，１８ｇ及び１８ｈ，１８ｉを備えている。また、左側面１１ｂ及び右側面１１ｃと腕部１１ｆ，１１ｇ及び１１ｈ，１１ｉとの間は切線１６ａ，１６ｂ及び１６ｃ，１６ｄにより区切られており、各切線は、それにより画成される面を繋ぐニック１７ａ，１７ｂ及び１７ｃ，１７ｄにより断続した線となっている。係合切込１８ｆ，１８ｈ，１８ｇ，１８ｉについては第一実施形態の包装体用台紙１の係合切込と同様であるから説明を省略する。
【００４６】
続いて、包装体用台紙１１の使用方法について説明する。包装体用台紙１１は、食品等の被包装物２を複数載置した状態でシートフィルム４により包装され、被包装物２の移動を制限する。すなわち、図８に示すように、包装体１２１は、複数の被包装物２が、包装体用台紙１１上に整列載置された状態で、シートフィルム４によりピロー包装を施されてなる。包装体１２１のシートフィルム４の両端に設けられた切込１４ａを切り開くことで、被包装物２を取り出すことができる。以上の点については従来の包装体用台紙１と同様である。しかし、被包装物２を取り出した後、包装体用台紙１１を組み立てることで被包装物２を載置する箱となり、この点において従来の台紙と異なる。
【００４７】
包装体用台紙１１を組み立てる手順は第一実施形態の包装体用台紙１と同様であるから説明を省略する。ただし、包装体用台紙１１は、第一実施形態の包装体用台紙１と異なり、折線１５ｃ、１５ｄがもともと谷折りに折られているから、これを折る必要はなく、この点において第一実施形態の包装体用台紙１の組立手順と異なる。
【００４８】
このような箱状の包装体用台紙１１に被包装物２を載置する。具体的には図９に示すように、被包装物２の二番目に狭い面を底面とし、平面視１行×４列となるよう整列して載置する。このような包装体用台紙１１によれば、シートフィルム４の廃棄後にも、被包装物２が散在せず見栄えよく収納できると共に、同一の包装体に由来するものを同一個所に整理できるから、賞味期限などの管理にも有用である。また、被包装物２を平面視１行に配置することから、被包装物２を消費して例えば一つだけ残った場合に被包装物２が倒れてしまう可能性があり、整理上好ましくない。その場合、フラップ１９を立てることにより、被包装物２がこれに寄り掛かることができるから、被包装物２の個数が減った場合にも被包装物２が倒れることがない。
【００４９】
また、図９の状態で、被包装物２は行方向、すなわち底面の短辺に水平な方向に倒れやすいが、左側面１１ｂ及び右側面１１ｃの左右方向の長さが被包装物２の最も広い面における短辺よりも長く、すなわち包装体用台紙１１を組み立て、被包装物２を載置した状態で左側面１１ｂ及び右側面１１ｃの高さが被包装物２の高さより高いため、被包装物２が箱状の包装体用台紙１１の外側に倒れることを防ぐことができる。さらに、図９に示すように、前面１１ｄ及び後面１１ｅの高さが被包装物２の高さより低く、被包装物２が平面視１行に並べられ、かつ被包装物２を載置した状態で被包装物２の最も狭い面が露出しているため、対向する最も狭い面を挟むようにして持ち上げることで被包装物２を容易に取り出すことができる。
【００５０】
［第三実施形態］
続いて、本発明の第三実施形態の包装体用台紙につき説明する。なお、第一実施形態または第二実施形態の包装体用台紙と同様の部分については適宜説明を省略する。
第三実施形態の包装体用台紙２１は第一実施形態の包装体用台紙１と同様、４つの被包装物２を載置するものである。図１０（Ａ）はその展開状態、図１０（Ｂ）は４つの被包装物２を載置した状態、図１０（Ｃ）は組み立てた状態を示す。図１０（Ｂ）に示すように、被包装物２は２列×２行で水平に載置され、この状態でシートフィルムにより包装される。すなわち、４つの被包装物２の底面形状に合うよう、包装体用台紙２１の一辺が被包装物２の一辺の２倍、他辺が被包装物２の他辺の２倍の矩形を成している。
【００５１】
包装体用台紙２１は、図１０（Ａ）に展開状態を示すように、底面２１ａと、図１０（Ａ）において底面２１ａの左右に折線２５ａ，２５ｂを介して連設されている左側面２１ｂ及び右側面２１ｃと、図１０（Ａ）において底面２１ａの上下に折線２５ｃ、２５ｄを介して連設されている前面２１ｄ及び後面２１ｅと、図１０（Ａ）において前面２１ｄ及び後面２１ｅの左右にそれぞれ折線２５ｅ，２５ｆ及び２５ｇ，２５ｈを介して連設されている腕部２１ｆ，２１ｇ及び２１ｈ，２１ｉを備えている。ここで、底面２１ａは、被包装物２を、その最も狭い面を下面として平面視４行に整列載置した際に多少のクリアランスをもって程よく保持するよう、一辺が被包装物２の一辺の約４倍、他辺が被包装物２の他辺の約１倍の矩形を成している。
【００５２】
底面２１ａの中心には、フラップ２９が設けられている。このフラップ２９は、第二実施形態のフラップ１９と同様に折線２９ａと切線２９ｂとにより画成され、ニック２９ｃを破断し、折線２９ａを谷折りすることでフラップ２９が被包装物２同士の仕切り板として機能する。
【００５３】
腕部２１ｆ，２１ｇ及び２１ｈ，２１ｉは、その先端付近に、係合切込２８ｆ，２８ｇ及び２８ｈ，２８ｉを備えている。また、左側面２１ｂ及び右側面２１ｃと腕部２１ｆ，２１ｇ及び２１ｈ，２１ｉとの間は切線２６ａ，２６ｂ及び２６ｃ，２６ｄにより区切られており、各切線は、それにより画成される面を繋ぐニック２７ａ，２７ｂ及び２７ｃ，２７ｄにより断続した線となっている。係合切込２８ｆ，２８ｈ，２８ｇ，２８ｉについては第一実施形態の包装体用台紙１の係合切込とほぼ同様であるが、屈折せず直線状となっている。機能については包装体用台紙１と同様である。
【００５４】
包装体用台紙２１を組み立てる手順は第一実施形態の包装体用台紙１と同様であるから説明を省略する。このような箱状の包装体用台紙２１に被包装物２を載置するには図１０（Ｃ）に示すように、被包装物２の最も狭い面を底面とし、平面視１行×４列となるよう整列して載置する。フラップ２９を立てれば、被包装物２がこれに寄り掛かることができるから、被包装物２の個数が減った場合にも被包装物２が倒れることがない。
【００５５】
［第四実施形態］
続いて、本発明の第四実施形態の包装体用台紙について説明する。なお、第一乃至第三実施形態の包装体用台紙と同様の部分については適宜説明を省略する。
第四実施形態の包装体用台紙３１は６つの被包装物２を載置するものである。図１１（Ａ）はその展開状態、図１１（Ｂ）は６つの被包装物２を載置した状態、図１１（Ｃ）は組み立てた状態を示す。図１１（Ｂ）に示すように、被包装物２は２列×３行で水平に載置され、この状態でシートフィルムにより包装される。すなわち、６つの被包装物２の底面形状に合うよう、包装体用台紙３１の一辺が被包装物２の一辺の２倍、他辺が被包装物２の他辺の３倍の矩形を成している。
【００５６】
包装体用台紙３１は、図１１（Ａ）に展開状態を示すように、底面３１ａと、図１０（Ａ）において底面３１ａの左右に折線３５ａ，３５ｂを介して連設されている左側面３１ｂ及び右側面３１ｃと、図１１（Ａ）において底面３１ａの上下に折線３５ｃ、３５ｄを介して連設されている前面３１ｄ及び後面３１ｅと、図１１（Ａ）において前面３１ｄ及び後面３１ｅの左右にそれぞれ折線３５ｅ，３５ｆ及び３５ｇ，３５ｈを介して連設されている腕部３１ｆ，３１ｇ及び３１ｈ，３１ｉを備えている。ここで、底面３１ａは、被包装物２を、その最も狭い面を下面として平面視６行に整列載置した際に多少のクリアランスをもって程よく保持するよう、一辺が被包装物２の一辺の約６倍、他辺が被包装物２の他辺の約１倍の矩形を成している。
【００５７】
底面３１ａの中心には、フラップ３９が設けられている。このフラップ３９は、第二実施形態のフラップ１９と同様に折線２９ａと切線２９ｂとにより画成され、ニック３９ｃを破断し、折線３９ａを谷折りすることでフラップ３９が被包装物２同士の仕切り板として機能する。
【００５８】
腕部３１ｆ，３１ｇ及び３１ｈ，３１ｉは、その先端付近に、係合切込３８ｆ，３８ｇ及び３８ｈ，３８ｉを備えている。また、左側面３１ｂ及び右側面３１ｃと腕部３１ｆ，３１ｇ及び３１ｈ，３１ｉとの間は切線３６ａ，３６ｂ及び３６ｃ，３６ｄにより区切られており、各切線は、それにより画成される面を繋ぐニック３７ａ，３７ｂ及び３７ｃ，３７ｄにより断続した線となっている。
【００５９】
包装体用台紙３１を組み立てる手順は第一実施形態の包装体用台紙１と同様であるから説明を省略する。このような箱状の包装体用台紙３１に被包装物２を載置するには、図１１（Ｃ）に示すように、被包装物２の最も狭い面を底面とし、平面視１行×６列となるよう整列して載置する。フラップ３９を立てれば、被包装物２がこれに寄り掛かることができるから、被包装物２の個数が減った場合にも被包装物２が倒れることがない。
【００６０】
［第五実施形態］
続いて、本発明の第五実施形態の包装体用台紙につき説明する。なお、第一乃至第四実施形態の包装体用台紙と同様の部分については適宜説明を省略する。
第五実施形態の包装体用台紙４１は９つの被包装物２を載置するものである。図１２（Ａ）はその展開状態、図１２（Ｂ）は９つの被包装物２を載置した状態、図１２（Ｃ）は組み立てた状態を示す。図１２（Ｂ）に示すように、被包装物２は３列×３行で水平に載置され、この状態でシートフィルムにより包装される。すなわち、９つの被包装物２の底面形状に合うよう、包装体用台紙４１の一辺が被包装物２の一辺の３倍、他辺が被包装物２の他辺の３倍の矩形を成している。
【００６１】
包装体用台紙４１は、図１２（Ａ）に展開状態を示すように、底面４１ａと、図１２（Ａ）において底面４１ａの左右に折線４５ａ，４５ｂを介して連設されている左側面４１ｂ及び右側面４１ｃと、４１ａの上下に折線４５ｃ、４５ｄを介して連設されている前面４１ｄ及び後面４１ｅと、前面４１ｄ及び後面４１ｅの左右にそれぞれ折線４５ｅ，４５ｆ及び４５ｇ，４５ｈを介して連設されている腕部４１ｆ，４１ｇ及び４１ｈ，４１ｉを備えている。ここで、底面４１ａは、被包装物２を、その二番目に狭い面を下面として平面視６行に整列載置した際に多少のクリアランスをもって程よく保持するよう、一辺が被包装物２の一辺の約６倍、他辺が被包装物２の他辺の約１倍の矩形を成している。
【００６２】
底面４１ａの中心には、フラップ４９が設けられている。このフラップ４９は、第二実施形態のフラップ１９と同様に折線２９ａと切線２９ｂとにより画成され、ニック４９ｃを破断し、折線４９ａを谷折りすることでフラップ４９が被包装物２同士の仕切り板として機能する。
【００６３】
腕部４１ｆ，４１ｇ及び４１ｈ，４１ｉは、その先端付近に、係合切込４８ｆ，４８ｇ及び４８ｈ，４８ｉを備えている。また、左側面４１ｂ及び右側面４１ｃと腕部４１ｆ，４１ｇ及び４１ｈ，４１ｉとの間は切線４６ａ，４６ｂ及び４６ｃ，４６ｄにより区切られており、各切線は、それにより画成される面を繋ぐニック４７ａ，４７ｂ及び４７ｃ，４７ｄにより断続した線となっている。
【００６４】
包装体用台紙４１を組み立てる手順は第一実施形態の包装体用台紙１と同様であるから説明を省略する。この箱状の包装体用台紙４１に被包装物２を載置するには、図１２（Ｃ）に示すように、被包装物２の二番目に狭い面を底面とし、平面視１行×６列となるよう整列して載置する。フラップ４９を立てれば、被包装物２がこれに寄り掛かることができるから、被包装物２の個数が減った場合にも被包装物２が倒れることがない。
【００６５】
［第六実施形態］
続いて、本発明の第六実施形態の包装体用台紙につき説明する。なお、第一乃至第五実施形態の包装体用台紙と同様の部分については適宜説明を省略する。
第六実施形態の包装体用台紙５１は９つの被包装物２を載置するものである。図１３（Ａ）はその展開状態、図１３（Ｂ）は９つの被包装物２を載置した状態、図１３（Ｃ）は組み立てた状態を示す。図１３（Ｂ）に示すように、被包装物２は３列×３行で水平に載置され、この状態でシートフィルムにより包装される。すなわち、９つの被包装物２の底面形状に合うよう、包装体用台紙５１の一辺が被包装物２の一辺の３倍、他辺が被包装物２の他辺の３倍の矩形を成している。
【００６６】
包装体用台紙５１は、図１３（Ａ）に展開状態を示すように、底面５１ａと、図１３（Ａ）において底面５１ａの左右に折線５５ａ，５５ｂを介して連設されている左側面５１ｂ及び右側面５１ｃと、底面５１ａの上下に折線５５ｃ、５５ｄを介して連設されている前面５１ｄ及び後面５１ｅと、前面５１ｄ及び後面５１ｅの左右にそれぞれ折線５５ｅ，５５ｆ及び５５ｇ，５５ｈを介して連設されている腕部５１ｆ，５１ｇ及び５１ｈ，５１ｉを備えている。ここで、底面５１ａは、被包装物２を、その二番目に狭い面を下面として平面視７行に整列載置した際に多少のクリアランスをもって程よく保持するよう、一辺が被包装物２の一辺の約７倍、他辺が被包装物２の他辺の約１倍の矩形を成している。
【００６７】
底面５１ａには、左右対称な二ヶ所にフラップ５９，５９が設けられている。これらのフラップ５９は、第二実施形態のフラップ１９と同様に折線２９ａと切線２９ｂとにより画成され、ニック５９ｃを破断し、折線５９ａを谷折りすることでフラップ５９が被包装物２同士の仕切り板として機能する。
【００６８】
腕部５１ｆ，５１ｇ及び５１ｈ，５１ｉは、その先端付近に、係合切込５８ｆ，５８ｇ及び５８ｈ，５８ｉを備えている。また、左側面５１ｂ及び右側面５１ｃと腕部５１ｆ，５１ｇ及び５１ｈ，５１ｉとの間は切線５６ａ，５６ｂ及び５６ｃ，５６ｄにより区切られており、各切線は、それにより画成される面を繋ぐニック５７ａ，５７ｂ及び５７ｃ，５７ｄにより断続した線となっている。
【００６９】
包装体用台紙５１を組み立てる手順は第一実施形態の包装体用台紙１と同様であるから説明を省略する。この箱状の包装体用台紙５１に被包装物２を載置するには、図１３（Ｃ）に示すように、被包装物２の二番目に狭い面を底面とし、平面視１行×７列となるよう整列して載置する。フラップ５９を立てれば、被包装物２がこれに寄り掛かることができるから、被包装物２の個数が減った場合にも被包装物２が倒れることがない。
【００７０】
［第七実施形態］
続いて、本発明の第七実施形態の包装体用台紙につき説明する。
第七実施形態の包装体用台紙６１は４つの被包装物２を載置するものである。図１４（Ａ）はその展開状態、図１４（Ｂ）は組み立てた状態を示す。包装体用台紙６１は構成要素や組み立て方においては第二実施形態の包装体用台紙１１とほぼ同様であるから、同一の部材には同一の符号を付すと共に説明を省略し、以下、異なる部分のみ説明する。
【００７１】
包装体用台紙６１は、左側面１１ｂ及び右側面１１ｃの中心付近に長円形状の切線６１ａ，６１ａを有する。切線６１ａはニック６１ｃにより断続しており、組み立て時は、この切線６１ａにより画成される長円形状の面６１ｂ，６１ｂを、ニック６１ｃを破断して切り取ることで、図１４（Ｂ）に示すように長円形状の穴である把手６１ｄを形成し、ここに指を入れて取っ手とし、持ち上げることができる。
【００７２】
また、左側面１１ｂ及び右側面１１ｃにおける外縁付近に、外縁に平行な半折線６１ｅ，６１ｅを有しており、この折線６１ｅの上下方向中央付近に、半折線６１ｅと両端が連設し、中央の凸状部が外縁方向に向いたコ字状の切線６１ｆ，６１ｆを備える。図１４（Ｂ）に示すように、組み立て時は、半折線６１ｅを折り曲げると、このコ字状の切線６１ｆにより小片６１ｇ，６１ｇ及び穴６１ｈ，６１ｈが画成され、また半折線６１ｅ及びコ字状の切線６１ｆにより切片６１ｉ，６１ｉが画成される。この穴６１ｈは楊枝立てとして機能する。
【００７３】
ここで、半折線６１ｅを直角に達しない程度に折り曲げることで、切片６１ｉ，６１は元に戻ろうとする。そのため、穴６１ｈに楊枝Ｙを刺すと、小片６１ｇと切片６１ｉとにより楊枝Ｙが挟まれて保持される。被包装物２が例えば食品である場合など、卓上において包装体用台紙６１が被包装物２を載置する皿として機能すると共に被包装物２に刺す楊枝を保持することができ、便利である。なお、切片６１ｉは、被包装物２の個数が多い場合、例えば６個の場合には外側に折り曲げ、個数が少ない場合には内側に折り曲げることができる。切片６１ｉを内側に折り曲げた場合には、被包装物２の可動範囲が狭まり、被包装物２が倒れるのを防ぐことができる。
【００７４】
以上説明したように、本発明の包装体用台紙は、ピロー包装から取り出した後に箱状に組み立てることにより被包装物を一括管理できるものであり、その主旨を逸脱しない範囲内において様々な形態で実施することができる。例えば、折線は押し罫であっても破線状に断続的な切込線であってもよい。また、各部材や被包装物の寸法や個数は適宜選択することができる。さらに、フラップ、把手、楊枝立てといった機構は適宜取捨選択し、組み合わせることができる。
【図面の簡単な説明】
【００７５】
【図１】本発明の実施形態に係る包装体を示す斜視図である。
【図２】第一実施形態の包装体用台紙に被包装物を載置した状態を示す斜視図である。
【図３】図２の包装体用台紙を示す展開平面図である。
【図４】（Ａ）は図２の包装体用台紙の組み立て途中を、（Ｂ）は組み立て完了時の形態を示す斜視図である。
【図５】図２の包装体用台紙を組み立て、被包装物を載置した状態を示す斜視図である。
【図６】第二実施形態の包装体用台紙に被包装物を載置した状態を示す斜視図である。
【図７】図６の包装体用台紙を示す展開平面図である。
【図８】図６の包装体用台紙を使用した包装体を示す斜視図である。
【図９】図６の包装体用台紙を組み立て、被包装物を載置した状態を示す斜視図である。
【図１０】第三実施形態の包装体用台紙を示し、（Ａ）はその展開平面図、（Ｂ）は４つの被包装物を載置した状態を示す斜視図、（Ｃ）は組み立てた状態を示す斜視図である。
【図１１】第四実施形態の包装体用台紙を示し、（Ａ）はその展開平面図、（Ｂ）は４つの被包装物を載置した状態を示す斜視図、（Ｃ）は組み立てた状態を示す斜視図である。
【図１２】第五実施形態の包装体用台紙を示し、（Ａ）はその展開平面図、（Ｂ）は４つの被包装物を載置した状態を示す斜視図、（Ｃ）は組み立てた状態を示す斜視図である。
【図１３】第六実施形態の包装体用台紙を示し、（Ａ）はその展開平面図、（Ｂ）は４つの被包装物を載置した状態を示す斜視図、（Ｃ）は組み立てた状態を示す斜視図である。
【図１４】第七実施形態の包装体用台紙を示し、（Ａ）はその展開平面図、（Ｂ）は組み立てた状態を示す斜視図である。
【図１５】従来の包装が施された包装体を示す斜視図である。
【符号の説明】
【００７６】
１，１１，２１，３１，４１，５１，６１      包装体用台紙
１ａ，１１ａ，２１ａ，３１ａ，４１ａ，５１ａ    底面
１ｂ，１１ｂ，２１ｂ，３１ｂ，４１ｂ，５１ｂ    左側面
１ｃ，１１ｃ，２１ｃ，３１ｃ，４１ｃ，５１ｃ    右側面
１ｄ，１１ｄ，２１ｄ，３１ｄ，４１ｄ，５１ｄ    前面
１ｅ，１１ｅ，２１ｅ，３１ｅ，４１ｅ，５１ｅ    後面
１ｆ〜１ｉ，１１ｆ〜１１ｉ，２１ｆ〜２１ｉ，３１ｆ〜３１ｉ，４１ｆ〜４１ｉ，５１ｆ〜５１ｉ    腕部
２      被包装物
４      シートフィルム
５ａ〜５ｈ，１５ａ〜１５ｈ，１９ａ，２５ａ〜２５ｈ，２９ａ，３５ａ〜３５ｈ，３９ａ，４５ａ〜４５ｈ，４９ａ，５５ａ〜５５ｈ，５９ａ，６１ｅ    折線
６ａ〜６ｄ，１６ａ〜１６ｄ，２６ａ〜２６ｄ，３６ａ〜３６ｄ，４６ａ〜４６ｄ，５６ａ〜５６ｄ，６１ｆ，７１ａ    切線
７ａ〜７ｄ，１７ａ〜１７ｄ，１９ｃ，２７ａ〜２７ｄ，２９ｃ，３７ａ〜３７ｄ，３９ｃ，４７ａ〜４７ｄ，４９ｃ，５７ａ〜５７ｄ，５９ｃ，７１ｃ    ニック
８ｆ〜８ｉ，１８ｆ〜１８ｉ，２８ｆ〜２８ｉ，３８ｆ〜３８ｉ，４８ｆ〜４８ｉ，５８ｆ〜５８ｉ    係合切込
１０ａ，１０ｂ  側縁部
１４ａ  切込
１９，２９，３９，４９，５９    フラップ
６１ｄ  把手
６１ｅ  半折線
６１ｇ  小片
６１ｈ  穴
６１ｉ  切片
Ｙ      楊枝
【図１】
2009173303.tif 000003
【図２】
2009173303.tif 000004
【図３】
2009173303.tif 000005
【図４】
2009173303.tif 000006
【図５】
2009173303.tif 000007
【図６】
2009173303.tif 000008
【図７】
2009173303.tif 000009
【図８】
2009173303.tif 000010
【図９】
2009173303.tif 000011
【図１０】
2009173303.tif 000012
【図１１】
2009173303.tif 000013
【図１２】
2009173303.tif 000014
【図１３】
2009173303.tif 000015
【図１４】
2009173303.tif 000016
【図１５】
2009173303.tif 000017